(57)【要約】      （修正有）【課題】対象物の捕獲範囲が広く、保持するための指の力を軽減できるピンセットまたは毛抜きを提供する。【解決手段】１対の捕獲アーム２において、操作するための取っ手４のある位置と反対側の捕獲部分１の途中に、圧力バンドまたはバネ６による可動性の結合を持たせる。また、捕獲アームの途中に固定されて伸びる鉤状のストッパー５を備える。取っ手を挟むと、対象物に向かって接点３（捕獲位置）が移動する。対象物が移動上のどこにあってもつかむことができる。対象物の保持は目的に応ずる圧力バンドまたはバネの力による。捕獲アームがストッパーに達した後は指（手）の力を加えることもできる。【選択図】図１
0003212077.tif 000002
【実用新案登録請求の範囲】
【請求項１】
曲面のころがりによって接点（捕獲位置）を移動することを特徴とするピンセットまたは毛抜き
【請求項２】
バンドまたはバネの力に加えて、さらに圧力を加えるためのストッパーの存在を特徴とする請求項１記載のピンセットまたは毛抜き。
【考案の詳細な説明】
【技術分野】
【０００１】  この考案は、ピンセットまたは毛抜きの新しいしくみに関する。
【背景技術】
【０００２】  従来の一般的なピンセットや毛抜きは元が固定された２本の捕獲アームの先端の小さい部分または面で対象物（部品や毛など）を挟み取るものである。先端以外では捕獲できない。また対象物の保持には指で挟む力の継続が必要であり疲労する。
【先行技術文献】
【０００３】  考案の形態を持ったピンセットや毛抜きの製品または文献を目にしたことはない。
【考案の概要】
【考案が解決しようとする課題】
【０００４】  従来のピンセットや毛抜きよりも対象物の捕獲範囲を広くする。
対象物を保持するのに指の直接的な力を軽減する。
これによってピンセットまたは毛抜きを用いた作業の労力を減らすことができる。
【課題を解決するための手段】
【０００５】  対象物をとらえる方法として、曲面と曲面または曲面と平面の接点を対象物に向かって移動させて挟みこんでつかむという第１考案の方法を用いる（図１、図２）。これによって対象物はピンセット（または毛抜き）の中のどの位置にあっても捕獲することができる。
対象物の保持は圧力バンドまたはバネによる。
第２考案は、対象物をさらに強い力で保持するのに有効である（図３）。
【考案の効果】
【０００６】  第１考案を実現するにあたって、ピンセット（または毛抜き）の２つの捕獲アームはその接点が離れないように、目的に応じた強さの圧力バンドまたはバネによって構成される（図１）。接点のころがりによる移動はてこの原理が働くので小さな力で操作できる（図２）。
対象物の保持は、基本的にはこの圧力バンドまたはバネの力によるので捕獲された対象物の保持に必要な指の力はわずかである。
また接点がピンセット（または毛抜き）の先端に達したときに第２考案のストッパーの効果により、圧縮バンドまたはバネの力に加えて指の力も追加することもできる。とげを抜くときのように特別に力が必要な時にはこのようにして保持の力を追加することができる（図３）。
【図面の簡単な説明】
【０００７】    図１  第１考案と第２考案を実現した具体例である。
図２  第１考案の動作を示す。取っ手を指で押すことで接点が先端に向かって移動する。
図３  第２考案の効果を示す。接点が先端に達した後にストッパーを支点として指で力を加えている状態である。
図４、図５  具体例を構成する同じ２つの部分
図６、図７  考案の実施形態の他の例
【考案を実施するための形態】
【０００８】      図１、図２、図３は第１考案、第２考案の一実施形態を示す斜視図である。この実施形態は図４、図５のまったく同じ２つの部分を組み合わせたものであるが１つの例である。取っ手の近くの構造によって接点がすべってずれないようになっている（接点はころがりによって移動する）。
「実施形態の効果」
図１、図２、図３のように基本的に対象物の捕獲は接点と接点を維持する圧力バンドまたはバネによる。指による作業は捕獲する対象物の位置に接点を移動することである。てこの原理により、これは小さな力で実行される。
「他の実施形態」
図６、図７の実施形態では、接点移動の曲面部分から平面部分をつなげた。平面部分をまっすぐに延長するとピンセットとして機能する。第１考案の意図するように、曲面および平面のどの位置の対象物も捕獲することができる。
【符号の説明】
【０００９】１  対象物の捕獲空間
２  捕獲アーム
３  対象物に向かって移動し捕獲する接点
４  親指、人差し指、中指を添えるための取っ手
５  ストッパー（ここで２つの捕獲アームの回転が制限され、これを支点として先端部（接点部分）に力が加わる）
６  圧力バンドまたはバネ
【図１】
0003212077.tif 000003
【図２】
0003212077.tif 000004
【図３】
0003212077.tif 000005
【図４】
0003212077.tif 000006
【図５】
0003212077.tif 000007
【図６】
0003212077.tif 000008
【図７】
0003212077.tif 000009
【手続補正書】
【提出日】平成29年3月31日(2017.3.31)
【手続補正１】
【補正対象書類名】実用新案登録請求の範囲
【補正対象項目名】全文
【補正方法】変更
【補正の内容】
【実用新案登録請求の範囲】
【請求項１】
バンドまたはバネで束ねられるかまたは連結された一対の捕獲アームの手元部分を押し開くことによって、先端までの部分がバンドまたはバネの力で強く接合して目的物を捕獲することを特徴とするピンセットまたは毛抜き。
【請求項２】
捕獲アームの手元の押し開きを制限することで捕獲を安定させ、捕獲アーム手元部分を押し開こうとするさらなる力が捕獲アームの先端の接合を強めることを目的とする、捕獲アームの途中に固定されて伸びる鉤状のストッパーの存在を特徴とする請求項１記載のピンセットまたは毛抜き。
【手続補正２】
【補正対象書類名】明細書
【補正対象項目名】０００７
【補正方法】変更
【補正の内容】
【０００７】
【図１】  第１考案と第２考案を実現した具体例である。これは鼻毛抜きとして機能する。
【図２】  第１考案の動作を示す。圧縮バンドまたはバネで結束された一対のアームを取っ手によって手元部分を押し開くと接点つまり捕獲位置が先端に向かって移動する。
【図３】  接点つまり捕獲位置がアームの先端に達している。同時に鉤状のストッパーにより取っ手を押しても手元のアームはこれ以上開かずその力は捕獲対象物に働く。
【図４】  図１では考案の実施形態の例として、全く同じ２つの部分の組み合わせで実現したものである。図４はその片方の部分である。
【図５】  これは図４と同じものでそれをひっくり返しただけのものである。図４、図５を組み合わせて圧縮バンドまたはバネで結合すると図１の完全な考案例となる。
【図６】  捕獲アームを長くすることにより、第１考案と第２考案をピンセットとして機能するように実現したものである。
【図７】  図６のピンセットで線状の物をつまむ様子である。捕獲の力は主に圧縮バンドによる。
【手続補正書】
【提出日】平成29年6月7日(2017.6.7)
【手続補正１】
【補正対象書類名】実用新案登録請求の範囲
【補正対象項目名】全文
【補正方法】変更
【補正の内容】
【実用新案登録請求の範囲】
【請求項１】
一膳の箸のような１対のアームにおいて、操作するための取っ手のある位置と反対側の捕獲部分の途中に、圧力バンドまたはバネによる可動性の結合を持つことを特徴とするピンセットまたは毛抜き。
【請求項２】
捕獲アームの手元の押し開きを制限することで捕獲を安定させ、捕獲アーム手元部分を押し開こうとするさらなる力が捕獲アームの先端の接合を強めることを目的とする、捕獲アームの途中に固定されて伸びる鉤状のストッパーの存在を特徴とする請求項１記載のピンセットまたは毛抜き。